(57)【要約】 【課題】  球詰まりを効果的に解消するとともに、球詰まり解消手段の取り付けに使用されなかった取付部材を作業の邪魔とならないようにし、かつこの取付部材を有効利用する。【解決手段】  タンクレール２０の側壁２２には、バイブレータ４０、及び電源コード収納ケース（付属装置）６０が双方を取付可能な兼用の取付部材３５を介して取りつけられている。バイブレータ４０は、その取付位置を変更可能に装着されているから、遊技店毎又はパチンコ機毎に球詰まりが発生しやすい場所にバイブレータ４０を移動することによって効率的に球詰まりを解消できる。  また、バイブレータ４０の取り付けに使用されなかった取付部材３５を、電源コード収納ケース６０の取付に有効利用することができる。【選択図】  図４
2005074220.tif 000002
【特許請求の範囲】
【請求項１】
上流側の貯留タンクに蓄積されたパチンコ球を下流側の賞球制御部に対して供給するタンクレールであって、
パチンコ機の背面に配される所定の付属装置、及び球詰まり解消用の球詰まり解消手段が装着されたものにおいて、
前記タンクレールの複数個所には取付部材が備えられており、前記取付部材は、前記付属装置、及び球詰まり解消手段のいずれも取付可能な兼用のものとして構成されていることを特徴とするタンクレール。
【発明の詳細な説明】
【技術分野】
【０００１】
本発明は、パチンコ機のタンクレールに関する。
【背景技術】
【０００２】
パチンコ機の背面に配置されるタンクレールには、タンクレールにおいて球詰まりが発生し易い場所に球詰まり解消手段としての振動モータを設けたものが提案されている（例えば、特許文献１参照）。
これは、タンクレールに球詰まりが発生して、賞品球払出装置が球切れ状態になったとしても、振動モータが振動しパチンコ球の団塊を崩すことによって、球詰まり状態を解消するというものである。
【特許文献１】特開平１１−２２６２１３号公報（第１図）
【発明の開示】
【発明が解決しようとする課題】
【０００３】
しかしながら、このような振動モータ付きのタンクレールを用いても、パチンコ機が設置される遊技店（ホール）によっては、球詰まりが解消されない場合があった。
この原因を発明者等が詳細に検討したところ、タンクレールにおける球詰まりを頻繁に発生させる場所は、遊技店毎に、パチンコ機毎に異なることが判明したのである。これは、遊技店毎に島からパチンコ機にパチンコ球を供給する補給装置が異なること、また、同一遊技店内であっても、島におけるパチンコ機の設置位置が異なり、パチンコ球によって貯留タンクにかかる圧力等が異なることに起因するものと推測された。
そこで、本発明者等は、バイブレータ等の球詰まり解消手段が、その取付位置を変更可能に装着されているタンクレールを提案している（特願２００３−１３９１６０）。
これによれば、図１８に示されるように、タンクレール２００の側壁には、バイブレータ２０３を複数位置に取り付けるための複数組の取付部材２０５が備えられている。そして、バイブレータ２０３をタンクレール２００の上流付近、中流付近、下流付近のいずれかに取り付けることができるようになっている。
ところが、バイブレータ２０３の取り付けに使用されなかった取付部材２０５は、むき出しの状態となってしまい、却って遊技店等におけるパチンコ機背面での作業の邪魔となっていた。
本発明は、上記のような事情に基づいて完成されたものであって、球詰まりを効果的に解消するとともに、球詰まり解消手段の取り付けに使用されなかった取付部材を作業の邪魔とならないようにし、かつこの取付部材を有効利用することを目的とする。
【課題を解決するための手段】
【０００４】
上記の目的を達成するための手段として、手段１（請求項１）の発明は、上流側の貯留タンクに蓄積されたパチンコ球を下流側の賞球制御部に対して供給するタンクレールであって、パチンコ機の背面に配される所定の付属装置、及び球詰まり解消用の球詰まり解消手段が装着されたものにおいて、前記タンクレールの複数個所には取付部材が備えられており、前記取付部材は、前記付属装置、及び球詰まり解消手段のいずれも取付可能な兼用のものとして構成されていることを特徴とする。
【０００５】
手段２の発明は、手段１に記載のものにおいて、前記付属装置は、前記パチンコ機の背面から延出された電源コードを保持する電源コードホルダであることを特徴とする。
【０００６】
手段３の発明は、手段１又は手段２に記載のものにおいて、前記複数の取付部材は、それぞれ共通構造とされているとともに、前記球詰まり解消手段と前記付属装置における装着部位はそれぞれ共通構造とされていることを特徴とする。
【０００７】
手段４の発明は、手段１又は手段２に記載のものにおいて、前記取付部材には、前記付属装置と係止可能な第１係合受部と、前記球詰まり解消手段と係止可能な第２係合受部とが形成されいることを特徴とする。
【０００８】
手段５の発明は、手段１ないし手段４のいずれかに記載のものにおいて、前記タンクレールの出口付近には、パチンコ球を流す流路が、高さ方向に絞られていくように天井板が設けられ、前記取付部材は、前記タンクレールの側壁における前記天井板による前記流路の絞り始め部分寄りの位置に備えられていることを特徴とする。
【０００９】
手段６の発明は、手段１ないし手段５のいずれかに記載のものにおいて、前記取付部材は、前記タンクレールの側壁における前記貯留タンクからパチンコ球が供給される前記タンクレールの入り口付近の位置に備えられていることを特徴とする。
【００１０】
手段７の発明は、手段１ないし手段６のいずれかに記載のものにおいて、前記取付部材は、前記タンクレールの底壁面に段差部が設けられている場所付近の位置に備えられていることを特徴とする。
【００１１】
手段８の発明は、手段１ないし手段７のいずれかに記載のものにおいて、前記取付部材は、前記タンクレールの底壁面の傾斜勾配が変化している場所付近の位置に備えられていることを特徴とする。
【００１２】
手段９の発明は、手段１ないし手段８のいずれかに記載のものにおいて、前記取付部材は、前記タンクレールのパチンコ機背面側の側壁に備えられていることを特徴とする。
【００１３】
手段１０の発明は、手段１ないし手段９のいずれかに記載のものにおいて、前記球詰まり解消手段はタンクレールを振動させる振動手段であるとともに、前記取付部材は、前記タンクレールに一体成形されていることを特徴とする。
【００１４】
手段１１の発明は、手段１ないし手段１０のいずれかに記載のものにおいて、前記球詰まり解消手段と前記付属装置は、複数の取付部材によって取付けがなされており、前記取付部材は前記球詰まり解消手段及び前記付属装置の各取付けに必要とされる複数の取付部材を一組としたものが複数組設定され、前記球詰まり解消手段及び前記付属装置側の装着部位には各組内の取付部材のピッチに対応した受け部が設定されていることを特徴とする。
【００１５】
手段１２の発明は、手段２ないし手段１１のいずれかに記載のものにおいて、前記電源コードの端末部には、遊技施設側の給電用コネクタ部に嵌合可能な受電用コネクタ部が接続されるとともに、前記電源コードホルダには、受電用コネクタ部を保持固定する保持固定部が備えられていることを特徴とする。
【００１６】
手段１３の発明は、手段２ないし手段１２のいずれかに記載のものにおいて、前記電源コードホルダには、前記電源コードのコード部分を収納するコード収納部が設けられていることを特徴とする。
【００１７】
手段１４の発明は、手段１３に記載のものにおいて、前記コード収納部には、前記コード部分を巻回して保持可能な巻回保持部が設けられていることを特徴とする。
【００１８】
手段１５の発明は、手段１２ないし手段１４のいずれかに記載のものにおいて、前記受電用コネクタ部は、その外縁部の対称位置にくびれ部を有し、前記保持固定部は、前記くびれ部を両側から挟持することにより前記電源コネクタを保持固定する構成としたことを特徴とする。
【００１９】
手段１６の発明は、手段１３ないし手段１５のいずれかに記載のものにおいて、前記電源コードホルダは、ケースと同ケースに対し開閉可能な蓋とからなり、前記ケース内に前記コード収納部が具備されていることを特徴とする。
【００２０】
手段１７の発明は、手段１６に記載のものにおいて、前記蓋の内面には、この蓋が前記ケースに嵌合した状態で、前記ケース内に収納された前記受電用コネクタ部を前記ケースの底壁へ押さえる押さえ部が設けられていることを特徴とする。
【００２１】
手段１８の発明は、手段１７に記載のものにおいて、前記受電用コネクタ部の前端にはフランジが設けられているとともに、前記押さえ部は、前記フランジへの当接部分が前記基端側への当接部分よりも前記フランジの張出量とほぼ同一高さ分だけ低く形成されていることを特徴とする。
【００２２】
手段１９の発明は、手段１６ないし手段１８のいずれかに記載のものにおいて、前記ケースと前記蓋との間には、前記蓋を閉じた状態で前記受電用コネクタ部の嵌合面を露出させる開口が形成されていることを特徴とする。
【００２３】
手段２０の発明は、手段１９に記載のものにおいて、前記開口は、前記受電用コネクタ部の嵌合面の外周形状に適合して形成されることにより、前記蓋が閉じられたときには、前記開口の開口縁にて前記受電用コネクタ部の嵌合面の外周部をほぼ全縁に沿って挟持可能であることを特徴とする。
【００２４】
手段２１の発明は、手段１９又は手段２０に記載のものにおいて、前記ケースの底壁には、前記フランジの背面と当接する一対の当接片が、前記ケースにおける前記開口周りの面から前記フランジの厚み分後退した位置に備えられていることを特徴とする。
【００２５】
手段２２の発明は、手段１６ないし手段２１のいずれかに記載のものにおいて、前記ケースの底壁には、前記受電用コネクタ部の前記フランジより基端側の部分に当接する当接突部が、前記フランジの張出量とほぼ同一高さにて形成されていることを特徴とする。
【００２６】
手段２３の発明は、手段１６ないし手段２２のいずれかに記載のものにおいて、前記ケースには、ねじ又はナットにより前記パチンコ機に取り付けるための取付孔が穿設されているとともに、前記蓋には、前記取付孔と対向する位置に取付作業用の作業孔が穿設されていることを特徴とする。
【００２７】
手段２４の発明は、手段１ないし手段２３のいずれかに記載のものにおいて、前記取付部材は、軸状部材によって形成され、前記球詰まり解消手段及び前記付属装置の側は、これを受け入れる孔構造とされていることを特徴とする。
【００２８】
手段２５の発明は、手段２ないし手段２４のいずれかに記載のものにおいて、前記電源コードホルダは、その一部又は全部が透明とされていることを特徴とする。
【発明の効果】
【００２９】
＜手段１（請求項１）の発明＞
本手段の構成によれば、球詰まり解消手段は、その取付位置を変更可能に装着されているから、遊技店毎又はパチンコ機毎に球詰まりが発生しやすい場所に球詰まり解消手段を移動することによって効率的に球詰まりを解消できる。
また、球詰まり解消手段の取り付けに使用されなかった取付部材を所定の付属装置の取付に有効利用することができる。
さらに、所定の付属装置が、球詰まり解消手段の取り付けに使用されなかった取付部材に装着されてその取付部材が隠れるから、球詰まり解消手段の取り付けに使用されなかった取付部材がパチンコ機の背面での作業の邪魔となることが防止される。
なお、所定の付属装置には、パチンコ機の背面から延出された電源コードを保持するための電源コードホルダの他、所定の基板装置等が含まれる。
【００３０】
＜手段２の発明＞
本手段の構成によれば、所定の付属装置が電源コードホルダとされているから、この電源コードホルダに電源コードを保持することができる。従って、球詰まり解消手段の取り付けに使用されなかった取付部材をさらに有効利用することができる。
【００３１】
＜手段３の発明＞
本手段の構成によれば、複数の取付部材は、それぞれ共通構造とされているとともに、球詰まり解消手段と付属装置における装着部位はそれぞれ共通構造とされている。よって、取付構造を単純化できる。
【００３２】
＜手段４の発明＞
本手段の構成によれば、第１係合受部によって付属装置をタンクレールに取り付けるとともに、第２係合受部によって球詰まり解消手段をタンクレールに取り付けることができる。
【００３３】
＜手段５の発明＞
一般的に、パチンコ球の流れる流路が、高さ方向に絞られていくように天井板が設けられている流路の絞り始め部分においては、流路が流れ方向に対して狭まっていくため、球詰まりを起こしやすい。本手段の構成によれば、球詰まりが一般的におきやすい場所に球詰まり解消手段を取付可能としたから、球詰まりを効果的に排除することができる。
【００３４】
＜手段６の発明＞
タンクレールの入り口付近は、パチンコ球の圧力がかかり易いため詰まりやすい。本手段の構成によれば、球詰まりが一般的におきやすいタンクレールの入り口付近に球詰まり解消手段を装着可能としたから、球詰まりを効果的に排除することができる。
【００３５】
＜手段７の発明＞
従来より、タンクレールの底壁に段差部を設け、パチンコ球の流れを局部的に不安定化させることにより球詰まりを解消する方法が知られていた。
ところが、段差部のみでは、球詰まりを解消できない場合があった。本手段の構成によれば、この段差部を設けた場所にも球詰まり解消手段を装着可能としたから、タンクレールの底壁の段差部によって、球詰まりが解消されないとしても、球詰まり解消手段によって効果的に球詰まりを解消することができる。
【００３６】
＜手段８の発明＞
タンクレールの底壁については、球詰まりし易い場所で傾斜勾配を変化させ、パチンコ球の流れを局部的に不安定化させることにより球詰まりを解消する方法が知られていた。
ところが、傾斜勾配の変化のみでは、球詰まりを解消できない場合がある。本手段の構成によれば、傾斜勾配を設けた場所にも球詰まり解消手段を装着可能としたから、タンクレールの底壁の傾斜勾配によって、球詰まりが解消されないとしても、球詰まり解消手段によって効果的に球詰まりを解消することができる。
【００３７】
＜手段９の発明＞
本手段の構成によれば、作業者は、パチンコ機の背面側から取付作業ができるため、球詰まり解消手段及び付属装置の取付が容易となる。
【００３８】
＜手段１０の発明＞
取付部材をタンクレールとは別体に形成し、この取付部材をタンクレールと接合した構成では、接合部分において、振動手段からの振動が減衰するおそれがある。
本手段においては、取付部材がタンクレールに一体成形されているから、振動手段の振動が接合部分で減衰することなくパチンコ球に伝達される。
【００３９】
＜手段１１の発明＞
タンクレールは、パチンコ球が流下するものであるから、その流下によって振動させられる。このため球詰まり解消手段、付属装置の支持固定が不十分であると球詰まり解消手段、付属装置がタンクレールから外れてしまうおそれがある。本手段の構成によれば、球詰まり解消手段、付属装置は、タンクレールに２点以上で支持固定されるから振動により外れるおそれが減少する。
【００４０】
＜手段１２の発明＞
パチンコ機の背面側には、大当たり等の演出等を司る制御基板や球発射装置等に対する電源部が配され、この電源部からは電源コードが延出されている。
この電源コード先端の受電用コネクタ（電源用プラグ）は遊技店（ホール）において給電用コネクタ（電源ソケット）に嵌められることとなるが、遊技店毎に給電用コネクタの位置が異なるため、コード長を長めにして、どの遊技店においても電源コードが給電用コネクタまでとどくようにしている。
ところが、パチンコ機の製造途中に長い電源コードをそのままの状態として、部品の取付等を行うと電源コードが引っかかり他の作業の障害となる。
そこで、パチンコ機に電源コード収束用のクランプを取り付け、製造途中には、このクランプに電源コードのコード部分を収束させて部品の取り付け作業を行っていた。
【００４１】
ところで、パチンコ機製造の最終段階では、実際に電源を入れてパチンコ機の動作等を確認する品質検査が行われる。この品質検査は、作業者が工場内の電源から延出された電源コードの給電用コネクタと、パチンコ機側の受電用コネクタとを接続して行われる。
しかしながら、従来のものでは、パチンコ機のクランプはコード部分を保持するだけであるため、その先端の受電用コネクタは自由に動いてしまい、作業者が両コネクタの接続に手間取ってしまうという問題点があった。
本手段の発明によれば、パチンコ機の受電用コネクタは保持固定部によって保持固定される。従って、パチンコ機側の受電用コネクタと、電源側の給電用コネクタとの接続が容易となる。
【００４２】
＜手段１３の発明＞
本手段の発明によれば、電源コードホルダには、コード部分を収納するコード収納部が設けられいるから、パチンコ機製造時においてコード部分を収納して、コード部分が作業の障害となることを防止することができる。
また、遊技店にパチンコ機を設置した場合に、余剰のコード部分を収納してパチンコ機の背面の配線をすっきりさせることができる。従って、遊技店において店員がパチンコ機の故障を直したりする際の作業効率が向上する。
【００４３】
＜手段１４の発明＞
本手段の構成によれば、コード部分を巻回保持部に巻回して収納することができるから、長尺のコードをコンパクトに収納することができる。
【００４４】
＜手段１５の発明＞
本手段の構成によれば、電源コードホルダは、受電用コネクタ部のくびれ部を挟持するから、コネクタの軸線方向への遊動が効果的に規制される。
【００４５】
＜手段１６の発明＞
本手段の構成によれば、コード部分をケースに収納し、蓋を閉じると、コード部分が外に露出しないから、コード部分が引っかかって作業の障害となることを防止することができる。
【００４６】
＜手段１７の発明＞
本手段の構成によれば、蓋を閉めると電源用コネクタは、押さえ部と底壁との間で保持されてその遊動が防止される。
【００４７】
＜手段１８の発明＞
本手段の構成によれば、押さえ部が受電用コネクタ部の基端部とフランジの両方に当接し、電源用コネクタがケース底壁に確実に押さえつけられて保持固定される。
【００４８】
＜手段１９の発明＞
本手段の構成によれば、受電用コネクタ部の端子面は、蓋を閉めた状態でも露出するから、蓋を開けることなく品質検査用の給電用コネクタと接続することができ、品質検査が容易となる。
【００４９】
＜手段２０の発明＞
本手段の構成によれば、受電用コネクタ部の前端付近のぐらつきが防止され、品質検査が容易となる。
【００５０】
＜手段２１の発明＞
本手段の構成によれば、受電用コネクタ部のフランジが当接片に当接して受電用コネクタ部の前端面とケースの周壁とが略面一の状態となるから、ケースの周壁においてコネクタの前端面が引っかかって作業の障害となることを防止することができる。また、ケース側面の外観をすっきりさせることができる。
【００５１】
＜手段２２の発明＞
本手段の構成によれば、受電用コネクタ部は当接突部によって基端部分を持ち上げられて、底壁に対して略平衡姿勢でケース内に保持されるから、コネクタの端子も底壁と略平行姿勢となり、相手方コネクタの抜入操作が容易となる。
【００５２】
＜手段２３の発明＞
本手段の構成によれば、ケースをパチンコ機に取り付ける際に蓋を閉めた状態でも取付作業を行うことができる。
すなわち、ケースの取付孔にねじを挿通させてパチンコ機側のねじ孔に螺合させる場合や、パチンコ機側から突出したねじをケースの取付孔に挿通させてナットを螺合させる場合には、ねじ又はナットを回転させる作業を行う必要があるが、本手段の構成によれば、蓋を閉めた状態でも取付作業を行うことができる。
【００５３】
＜手段２４の発明＞
本手段の構成によれば、軸状の取付部材が球詰まり解消手段等の孔にガイドされつつ挿入されるから位置決めが容易となる。
【００５４】
＜手段２５の発明＞
電源コードホルダを透明とすると、内部に収納された電源コードが外部から視認可能となる。よって、電源コードホルダ内に電源コードを保持した状態で納品しても、遊技店側で作業者が電源コードがどこにあるのか分からずに戸惑うおそれがなくなる。
【発明を実施するための最良の形態】
【００５５】
＜実施形態１＞
以下、本発明の実施形態１を図１〜図１１を参照しつつ説明する。
遊技盤１０Ａを備えるパチンコ機１０は、図１に示すように背面側に機構板１１を備えると共に機構板１１の上方には貯留タンク１２が配設されている。
【００５６】
貯留タンク１２は、パチンコ球を予め蓄積しておくためのものであり、また、機構板１１には、賞球皿（図示なし）へ所定量の賞球を配給する賞球制御部（図示なし）が設けられている。
そして、貯留タンク１２と賞球制御部との間にはタンクレール２０が配設されており、貯留タンク１２内のパチンコ球がタンクレール２０を介して賞球制御部に供給される構成となっている（なお、タンクレール２０は、パチンコ機１０の背面のうち図示しない図柄変動装置の背面よりも上方位置に取り付けられている）。
また、タンクレール２０は貯留タンク１２側（上流側）から賞球制御部側（下流側）へ向けて緩やかな勾配を持つように設けられている。
【００５７】
タンクレール２０は、導電性を有する樹脂製で、図２、図３に示すように底壁２１の両側に垂直に起立する側壁２２を備えた樋状をなしていると共に、片側の側壁２２（手前側）の外面には、後に詳細に説明する、球詰まり解消手段として、振動手段であるバイブレータ４０、及び電源コードホルダ（所定の付属装置に相当）としての電源コード収納ケース６０（以下、単に収納ケース６０と言う）が双方を取付可能な兼用の取付部材３５を介して取りつけられている。
【００５８】
タンクレール２０の上流側（図３の左上方側）端部には底壁２１に急な傾斜を付けた球受部２３が設けられている。球受部２３は貯留タンク１２から落下したパチンコ球を円滑にタンクレール２０内に進入させるようになっている。
【００５９】
また、底壁２１には、タンクレール２０の下流側約１／３において、段差部２１Ａが形成されている。この段差部２１Ａによってパチンコ球の流れを局部的に不安定化させることにより球詰まりを解消可能としている。
また、タンクレール２０の両側壁２２，２２は、それぞれは僅かな相違はあるものの基本的には対称形状をなしている。すなわち、両側壁２２，２２は長手方向のほぼ中央部で高さが高くなっており、そこから段状に下って、平坦部となり、底壁２１の段差部２１Ａ付近から先は緩やかな円弧面をもって徐々に下り勾配をなすように形成されている。
【００６０】
タンクレール２０の底壁２１には、図３に示すように、幅方向の中央部に長手方向に延びる仕切壁２４が底壁２１から垂直に起立して設けられて、仕切壁２４を境に、パチンコ球を二手に分流させるようにしている。ここで、仕切壁２４と左右の両側壁２２，２２との間隔はパチンコ球の直径よりも僅かに幅広に設定され、仕切壁２４と左右の両側壁２２，２２との間でパチンコ球を下流側へ至るに連れて１列に絞り込むための整列路２５が形成されている。
【００６１】
また、仕切壁２４は、上流側の途中を始端として底壁２１の段差部２１Ａよりも少し下流までの範囲が徐々に高さを増すように形成され、これに連続して仕切壁２４は下流に向けて下り勾配となり、その後、整列路２５の終端に至るまでの間は、同一高さとなっている。
【００６２】
また、各整列路２５の底壁２１の両側には、所定間隔毎に長細い開口部２９が設けられており、パチンコ球に付着しているゴミ等を外へ排出可能としている。
【００６３】
さらに、段差部２１Ａよりも下流側の上側開口、言い換えれば、タンクレール２０の出口付近には、パチンコ球を流す整列路（流路）２５が、高さ方向に絞られていくように天井板３０が配設されている。この天井板３０には、側縁の前後両端部の２箇所に係止突部３０Ａが設けられており、この係止突部３０Ａが側壁２２に設けられた係止孔部２２Ａと係合して固定されるようになっている。この天井板３０により、上下に２段以上積み重なったパチンコ球がタンクレール２０の出口において、１段となるようにされている。
【００６４】
また、タンクレール２０の手前側の側壁２２には、バイブレータ４０及び収納ケース６０をタンクレール２０の長手方向に沿った複数の位置に取り付けるための複数組の取付部材３５が備えられている。
【００６５】
取付部材３５は、タンクレール２０の側壁２２と一体成形された、円柱状のものであり側壁２２から外側（図面手前側）に向かって略垂直に起立して設けられており、バイブレータ４０の一対の取付部４０Ｃ、収納ケース６０の一対の取付部８９に対応して、２つで一組とされている。なお、取付部材３５には取付のための下穴３８が開けられている。また、取付部材３５Ａ，３５Ｂ，３５Ｃは、それぞれタンクレール２０の上流付近の側壁２２、中流付近の側壁２２、下流付近の側壁２２に設けられている。
【００６６】
次に、バイブレータ４０及びその取付構造について詳細に説明する。
バイブレータ４０は、概ね直方体状をなす収納ケース４０Ｂと、この中に収納された図示しない振動用モータとからなる。振動用モータは、軸に偏心輪が取りつけられており、電源が投入されると、振動するようになっている。なお、バイブレータ４０の電源コード４１は、収納ケース４０Ｂの一側壁から導出されている。この電源コード４１の先端は図示しない電源回路に接続されるが、電源回路に接続した際に余った電源コード４１を、側壁２２に起立して設けられた巻回保持部４３に巻回可能とされている。
また、収納ケース４０Ｂの前後両側壁には前後に張り出した一対の取付部４０Ｃ，４０Ｃが形成され、取付部４０Ｃ，４０Ｃには、同芯の径小の孔と径大の孔とを繋いだ段孔４０Ｄが穿設されている。径大の孔の内径は、タンクレール２０の取付部材３５の外径よりやや大きくされている。図５（（Ａ）：装着前の状態、（Ｂ）：装着後の状態）に示されるように段孔４０Ｄの径大の孔（本発明の係合部に相当）と、取付部材３５の外側面（本発明の係合受部に相当）とを係合させ、さらに、径小の孔からねじを下孔３８に入れて、ねじ込むことによって、バイブレータ４０とタンクレール２０とが固定されるようにされている。
【００６７】
次にパチンコ機１０の電源コード４５について説明する。
電源コード４５は、一端側に機構板１１接続用のコネクタ４７、他端側に電源用コネクタ（本発明の受電用コネクタ部に相当）４９が接続されたものである。
機構板１１の上面の右寄りの位置には、開口が形成され、この開口の下方には、図示しないコネクタが配されており、このコネクタと機構板１１接続用のコネクタ４７とが連結されている。なお、コネクタ４７には、ロック用の撓み可能なロック片４７Ａが側面に形成されており、これと機構板１１側の図示しないロック突起とが係合して、コネクタ４７が機構板１１に装着されるようにされている（図６参照）。
【００６８】
電源用コネクタ４９は、断面が略長方形状で、その外縁部の対称位置にくびれ部４９Ａを有するとともに、その前端がフランジ４９Ｂとされ、フランジ４９Ｂから軸線方向に一対の端子４９Ｃが突出したものである。
なお、電源用コネクタ４９の基端部よりも後方側には、電源用コネクタ４９と一体成形された蛇腹状の屈曲防止部材５３が、コード４５Ａを周囲から取り巻くように形成されており、コード４５Ａが電源用コネクタ４９の基端で屈曲するのを防止している。
【００６９】
次に、収納ケース６０及びその取付構造について詳細に説明する。なお、以下の収納ケース６０の説明では、図１０における右側を前方、下方を右側、図面向かって手前側を上方とする。
【００７０】
収納ケース６０は樹脂からなり、開閉可能な浅皿状の蓋６３が一対のヒンジ６５を介して深皿状のケース６７と連結されていて、蓋６３を閉じると蓋６３の側壁６３Ｂとケース６７の側壁７３とが合致して全体として箱状をなし、その内部は電源コード４５の収納空間６９とされている。
【００７１】
ケース６７の底壁７０は、後端を円弧状とした略長方形の板状をなし、その周縁部から略垂直に側壁（周壁）７３が起立して設けられている。
左側壁７３Ａの前方寄りの上端には、断面略Ｌ字状のロック片７１が形成され、蓋６３に設けられたロック突起６３Ａと係止可能とされている。
このロック片７１の屈曲部の内側は薄肉とすることによりロック凹部７１Ａが形成され、ロック凹部７１Ａが、蓋６３を閉めるとロック突起６３Ａと係合可能とされ、この係合によって蓋６３がケース６７にロックされる。また、ロック片７１の先端側はロック解除用の操作部７１Ｂとされ、ロック状態から操作部７１Ｂを屈曲部の角度が拡大する方向へ操作するとロック凹部７１Ａがその長手方向に拡張してロック突起６３Ａから外れてロック解除されるようになっている。
また、側壁７３の上縁の複数個所には、側壁７３の内側部分が所定厚み削られて肉薄凹状とされた肉薄部７５が設けられ、蓋６３をケース６７に合致させると、蓋６３の側壁６３Ｂ上端から突出した側壁突部６３Ｃと係合するようにされている。
【００７２】
ケース６７の前側壁７３Ｃには、左から並ぶようにして２つの大小の開口７７,７９が形成されている。開口７７の後方側は、電源用コネクタ４９の保持固定部８１（図１０において二点鎖線で囲まれた領域）とされ、この保持固定部８１内に電源用コネクタ４９を保持する。この際、電源用コネクタ４９の端子面（嵌合面）を開口７７から露出させ、端子４９Ｃが収納ケース６０から前方に突出した状態で保持固定する。なお、収納空間６９の内、保持固定部８１以外の空間が本発明のコード収納部に相当する。
開口７７は、前方から視て略方形状をなし、前側壁７３Ｃの左端から電源用コネクタ４９のフランジ４９Ｂの幅（長径）とほぼ同一幅（本実施形態のものでは、前側壁７３Ｃのほぼ１／２程度の幅）をもって形成されている。すなわち、開口７７は、電源用コネクタ４９の嵌合面の外周形状に適合して形成されている。この開口７７は、前側壁７３Ｃの上端から底壁７０に達するまで開けられている。この開口７７に電源用コネクタ４９がはめ込まれると、開口７７の両端で電源用コネクタ４９の前端（フランジ４９Ｂ）が挟持され、左右方向の遊動が規制される。
また、開口７９は、前側壁７３Ｃの残り部分のうちその中程において形成され、前方から視て略方形状とされている。この開口７９の開口寸法は、幅方向ではコード４５Ａの幅よりもやや大きい程度で、高さ方向では前側壁７３Ｃ高さの約１／３の大きさに設定されている。この開口７９から、収納した電源コード４５のコード４５Ａを引き出し可能とされている。なお、この開口７９には、蓋６３を開けた状態でもコード４５Ａが引っ掛かる（図１０参照）。
【００７３】
また、底壁７０の左側縁部で、かつ前端から電源用コネクタ４９の長さ分後方位置からは、上方から視て略Ｌ字状で、底壁７０の左側縁部と前方縁部とを結ぶ仕切壁８３が側壁７３と同一高さをもって立設されている。この仕切壁８３は、前側壁７３Ｃの開口７７縁部と繋がれている。
この仕切壁８３と左側壁７３Ａによって仕切られた部分が電源用コネクタ４９の保持固定部８１とされている。以下、仕切壁８３を屈曲の前後で区別し、左側壁７３Ａから延びるように形成された部分を第１仕切壁８３Ａといい、前面壁７３Ｃと繋がれた部分を第２仕切壁８３Ｂという。
【００７４】
第１仕切壁８３Ａの左右方向のほぼ中央には、前方から視て略長方形状の開口８３Ｃが設けられており（従って、第１仕切壁８３Ａは前方から視ると凹形状となる）、電源用コネクタ４９の屈曲防止部材５３がこの開口８３Ｃにはめ込み可能とされている。
この開口８３Ｃは、図１１に示すように電源用コネクタ４９をその軸線が底壁７０と平行となるように収納した際にの屈曲防止部材５３下端の高さ位置まで切りかかれて形成されており、その幅は屈曲防止部材５３の幅よりも若干大きくされている。
第２仕切壁８３Ｂの前端付近は、２度異なる方向へ略直角に屈曲され、一段の段部８３Ｄとされ（図１０参照）、これにより保持固定部８１は前端側で幅広とされ、フランジ４９Ｂを収納可能としている。なお、段部８３Ｄの位置は、前端からフランジ４９Ｂの厚みとほぼ同一長さ後方とされている。
【００７５】
また、開口７７周りの面からコネクタ７３のフランジ４９Ｂの厚み分後退した位置からは、フランジ当接壁８５が左側壁７３Ａから内側に張り出している（フランジ当接壁８５は、本発明のフランジの後面と当接する一対の当接片の片方を構成する）。このフランジ当接壁８５は、フランジ４９Ｂのほぼ張出量分、張り出している。
フランジ当接壁８５の前面、及び段部８３Ｄ（本発明のフランジの後面と当接する一対の当接片の片方を構成する）の段差面は、収納した電源用コネクタ４９のフランジ４９Ｂの背面と当接し、この状態でフランジ４９Ｂの前端面が前側壁７３Ｃとほぼ面一となるようにされている。
【００７６】
また、左側壁７３Ａの保持固定部８１に面する部分と、第２仕切壁８３Ｂの保持固定部８１に面する部分からは、互いに対向する一対の円弧状のくびれ保持部８７Ａ，８７Ｂが突出し、これらの間に電源用コネクタ４９のくびれ部４９Ａが保持されるようにされている。両くびれ保持部８７Ａ，８７Ｂは電源用コネクタ４９のくびれ部４９Ａに相当する位置、すなわち、第１仕切壁８３Ａ寄りの位置に設けられおり、両者の距離は、くびれ部４９Ａの幅とほぼ同一とされている。
【００７７】
両くびれ保持部８７Ａ，８７Ｂは、電源用コネクタ４９のくびれ部４９Ａを挟持して、電源用コネクタ４９が開口７７から前方へ抜け出ないように規制するとともに、左右方向にも遊動しないように規制している。なお、第２仕切壁８３Ｂに形成されたくびれ保持部８７Ｂは、後述する円柱状の取付部８９の側壁の一部をなしている。すなわち、上方から視ると第２仕切壁８３Ｂの途中に円筒状の取付部８９が割って入り込んだ構成をなし、その取付部８９の保持固定部８１側がくびれ保持部８７Ｂとされている。
【００７８】
また、底壁７０のうち保持固定部８１内には、フランジ４９Ｂの張出量とほぼ同一高さの当接突部９１が形成されている。この当接突部９１は、フランジ当接壁８５の後端部から第２仕切壁８３Ｂまで延びる直線部分と、この直線部分の中央付近から後方へ向かって第１仕切壁８３Ａまで延びる２条部分とから構成されている。
【００７９】
図１１に示すように、電源用コネクタ４９が保持固定部８１に収納されると、フランジ４９Ｂよりも基端側の部分がこの当接突部９１と当接して支持されることにより、電源用コネクタ４９が底壁７０に対してほぼ水平姿勢となるようにされている。
【００８０】
また、底壁７０には、底壁７０から上方に突出する、両端を開口した一対の円筒状の取付部８９，８９が形成されている。なお、取付部８９，８９の内径（中孔８９Ａ，８９Ａの径）は、タンクレール２０の取付部材３５の外径よりやや大きく設定されている。
取付部８９，８９は、底壁７０の幅方向中央でかつ前端寄りの位置と、収納された電源用コネクタ４９のほぼ軸線上で、底壁７０の後端寄りの位置に形成されている。底壁７０のうち取付部８９，８９が形成された部分では、取付部８９，８９の中孔８９Ａ，８９Ａと同軸・同径の貫通孔７０Ｃが開けられている。また、取付部８９，８９のうち、底壁７０から側壁７３の高さの１／３程度上方位置には、中心にねじ孔８９Ｂを開けたドーナツ状の中壁８９Ｃが形成されている。このようにして底壁７０側から続く段状の孔が形成され、図１１に示すようにタンクレール２０の取付突部３５を底壁７０側から挿入し、ねじ締めすることにより収納ケース６０がタンクレール２０に固定されるようにされている（なお、底壁７０から中壁８９までの孔が本発明の係合部に相当する）。
【００８１】
取付部８９，８９は、側壁７３よりも高く形成されており、ケース６７に蓋６３を閉めた状態で取付部８９，８９と対応する位置に設けられた蓋６３の係合部９３，９３と係合可能とされている。蓋６３の係合部９３はケース６７の取付部８９，８９の外径よりもわずかに大きい内径を有する両端を開口した円筒形状をしている。蓋６３の係合部９３，９３は蓋６３を閉じた状態で取付部８９，８９の先端を遊嵌して、蓋６３のケース６７に対する位置ズレを防止する。なお、蓋６３のうち係合部９３，９３が形成された部分では、その中孔と同径・同軸の貫通孔９５（本発明の作業孔に相当）が開けられており、蓋６３を閉めた状態でも取付部８９のねじ孔８９Ｂにねじを通すことが可能とされている。
【００８２】
また、ケース６７の底壁７０には、その前後方向に所定間隔を開けて並ぶようにし、かつ右側壁７３Ｂ寄りの位置に、一対の円筒状の巻回保持部９７，９７が形成され、コード部分４５Ａを巻回した状態で保持可能としている。
巻回保持部９７，９７は、蓋６３を閉じた状態で蓋６３の内面にほぼ当接可能な高さをもってケース６７の底壁７０から突出形成されており、ケース６７に蓋６３を閉めた状態で巻回保持部９７，９７と対応する位置に設けられた蓋６３の係合部９９，９９と係合可能とされている。係合部９９，９９は巻回保持部９７，９７の外径よりもわずかに大きい内径を有する円筒形状をしている。蓋６３の係合部９９，９９は、蓋６３を閉じた状態で巻回保持部９７，９７の先端を遊嵌して、蓋６３のケース６７に対する位置ズレを防止する。
【００８３】
蓋６３の前端で、かつ蓋６３をケース６７に合わせた状態で開口７７に重なる位置には、二段状の押さえ部１０１が内側に突出して形成されている。押さえ部１０１は、前段１０１Ａが後段１０１Ｂよりもフランジ４９Ｂの張出量分だけ低くされており、電源用コネクタ４９を収納して蓋６３を閉めると前段１０１Ａが電源用コネクタ４９のフランジ４９Ｂに当接し、後段１０１Ｂがフランジ４９Ｂより基端側に当接するようにされている。
図１１に示すように、押さえ部１０１の前段１０１Ａとケース６７の底壁７０との間で電源用コネクタ４９のフランジ４９Ｂが挟持され、かつ押さえ部１０１の後段１０１Ｂと当接突部９１との間で電源用コネクタ４９のフランジ４９Ｂよりも基端側が挟持されることで、電源用コネクタ４９の上下方向に遊動規制されるとともに、電源用コネクタ４９の底壁７０に対する姿勢が水平に保たれるようにされている。
【００８４】
次に本実施形態の作用効果について説明する。
本実施形態によれば、バイブレータ４０は、その取付位置を変更可能に装着されているから、遊技店毎又はパチンコ機毎に球詰まりが発生しやすい場所にバイブレータ４０を移動することによって効率的に球詰まりを解消できる。
また、バイブレータ４０の取り付けに使用されなかった取付部材３５を収納ケース６０の取付に有効利用することができる。
さらに、収納ケース６０が、バイブレータ４０の取り付けに使用されなかった取付部材３５に装着されてその取付部材３５が隠れるから、取付部材３５が作業の邪魔となることが防止される。
【００８５】
また、本実施形態では、一般的に、球詰まりが発生し易い位置、言い換えれば、バイブレータ４０を配した場合にバイブレータ４０の球詰まり解消効果がよく発揮される位置、具体的には（1）天井板３０による流路の絞り始め部分寄りの位置（下流位置の取付部材３５Ｃ）、（2）タンクレール２０の入り口付近の位置（上流位置の取付部材３５Ａ）、（3）タンクレール２０の底壁２１の傾斜勾配が変化する段差部２１Ａの位置（下流位置の取付部材３５Ｃ）に取付部材３５が配されている。
よって、遊技店では、バイブレータ４０を取付部材３５に係合させるだけで、、球詰まり効果の高い位置にバイブレータ４０を変位させることができる。
【００８６】
また、本実施形態では、パチンコ機１０背面側の側壁２２に取付部３５が備えられているから、バイブレータ４０、及び収納ケース６０の取付が容易となる。
また、本実施形態では、取付部材３５はタンクレール２０に一体成形されているから、取付部材３５をタンクレール２０とは別体に成形し接合した構成と比べて、バイブレータの振動が接合部分で減衰することなくパチンコ球に伝達される。
また、本実施形態では、バイブレータ４０及び収納ケース６０はタンクレール２０に２点で支持固定される構成としたから、パチンコ球が流下してタンクレール２０が振動したとしても、タンクレール２０から外れるおそれが減少する。
【００８７】
さらに、本実施形態では、以下の作用効果も奏される。
パチンコ機１０の製造は、ライン上で種々の部品を組み付けて行われている。この組み付け途中には、電源コード４５は収納ケース６０内に収納され、かつ蓋６３を閉めた状態とされる（図７参照）。従って、電源コード４５が引っかかって他の組み付け作業の障害となるおそれがない。
そして、製造の最終段階になると、パチンコ機１０が正常に動作するか否かチェックする品質検査が行われる。
この品質検査では、作業者は図示しない給電用のコネクタと電源コネクタ４９とを嵌合することになるが、電源用コネクタ４９は、保持固定部８１によって保持固定されているから、単に片手で給電用コネクタを電源用コネクタ４９に差し込むだけで足り品質検査作業をスムーズに行うことができる。もちろん作業者によっては、収納ケース６０や、パチンコ機１０の他の場所（例えば遊技盤、タンクレール等）を持つ場合があるが、この場合においても、本実施形態の場合には、端子４９Ｃの位置がパチンコ機１０に対して位置固定されているため、単に収納ケース６０等に手を添える程度で足り、電源用コネクタ４９が保持固定されていない場合と比べて作業性が向上する。
【００８８】
そして、この品質検査後に、パチンコ機１０は出荷されるが、本実施形態のものでは、従来のハーネスクランプのように単にコード４５Ａを保持するだけでなく電源用コネクタ４９も保持固定され、かつ蓋６３がロックされた状態で出荷される。従って、出荷途中の運搬等によってパチンコ機１０が振動等したとしても、電源コード４５が解けるおそれはなくなる。
遊技店に到着するとパチンコ機１０は、設置されることになるが、この際に蓋６３を開けて電源コード４５を伸ばし、電源と接続する。
また、本実施形態では、遊技店にパチンコ機１０を設置した場合に、余剰のコード４５Ａを収納してパチンコ機１０の背面の配線をすっきりさせることができる。従って、遊技店において店員がパチンコ機１０の故障を直したりする際の作業効率が向上する。
【００８９】
また、コード４５Ａを巻回保持部９７，９７に巻き付けて収納することができるから、長尺のコード４５Ａをコンパクトに収納することができる。
また、くびれ保持部８７は、電源用コネクタ４９のくびれ部４９Ａを挟持するから、電源用コネクタ４９の軸線方向への遊動が効果的に規制される。
また、コード４５Ａをケース６７に収納し、蓋６３を閉めると、コード４５Ａが外に露出しないから、コード４５Ａが引っかかって作業の障害となることを防止することができる。
また、ロック片７１及びロック突起６３Ａによりケース６７と蓋６３との嵌合状態が維持されるから、不用意に蓋が開くことが防止される。
また、蓋６３を閉めると電源用コネクタ４９は、押さえ部１０１と底壁７０との間で保持されてその遊動が防止される。
【００９０】
また、押さえ部１０１は段状に形成されており、電源用コネクタ４９の基端部側とフランジ４９Ｂの両方に当接し、電源用コネクタ４９がケース６７の底壁７０に確実に押さえつけられる。
また、電源用コネクタ４９の端子面は、蓋６３を閉めた状態でも露出するから、蓋６３を開けることなく品質検査用の電源と接続することができ、品質検査が容易となる。
また、開口７７に電源用コネクタ４９をはめ込んで蓋６３を閉じると、開口７７の開口縁にて電源用コネクタ４９の嵌合面の外周部がほぼ全縁に沿って挟持されて、電源用コネクタ４９の前端付近のぐらつきが防止され、品質検査が容易となる。
【００９１】
また、電源用コネクタ４９のフランジ４９Ｂの背面がフランジ当接壁８５、及び段部８３Ｄに当接して電源用コネクタ４９の前端面とケース６７の側壁７３とが略面一の状態となるから、ケース６７の側壁７３において電源用コネクタ４９の前端面が引っかかって作業の障害となることを防止することができる。また、ケース６７側面の外観をすっきりさせることができる。
また、電源用コネクタ４９は当接突部９１によって基端部分を持ち上げられて、底壁７０に対して略平衡姿勢でケース６７内に保持されるから、電源用コネクタ４９の端子４９Ｃも底壁７０と略平行姿勢となり、相手方コネクタの抜入操作が容易となる。
また、蓋６３には、貫通孔９５が開けられているから、収納ケース６０をタンクレール２０に取り付ける際に蓋６３を閉めた状態でも取付部８９のねじ孔８９Ｂにねじを通すことができる。
また、収納ケース６０は、タンクレール２０の複数位置に取り付け可能であるから、遊技店（ホール）側の電源位置に柔軟に対応することできる。
また、タンクレール２０複数の取付部材３５は、それぞれ共通構造とされているとともに、バイブレータ４０と収納ケース６０における装着部位はそれぞれ共通構造とされている。よって、取付構造を単純化できる。
また、タンクレール２０の取付部材３５は軸状であり、バイブレータ４０と収納ケース６０における装着部位は孔構造とされている。従って、取付部材３５がバイブレータ４０等の段孔４０Ｄ等にガイドされつつ挿入されるから位置決めが容易となる。
【００９２】
＜実施形態２＞
次に、第２実施形態について図１２を参照しつつ説明する。
第２実施形態では、第１実施形態と異なる構成のみ説明し、第１実施形態と同一の他の構成、作用、効果については省略する。なお、同一の構成については第１実施形態と同一の符号を付す。第２実施形態では、収納ケース６０内での電源用コネクタ４９の収納姿勢が第１実施形態のものと異なる。
【００９３】
＜実施形態３＞
次に、第３実施形態について図１３を参照しつつ説明する。
第３実施形態では、第１実施形態と異なる構成のみ説明し、第１実施形態と同一の他の構成、作用、効果については省略する。なお、同一の構成については第１実施形態と同一の符号を付す。第３実施形態では、電源用コネクタ４９の形状が雌型となっている点が第１実施形態のものと異なる。
【００９４】
＜実施形態４＞
次に、第４実施形態について図１４、図１５を参照しつつ説明する。
第４実施形態では、第１実施形態と異なる構成のみ説明し、第１実施形態と同一の他の構成、作用、効果については省略する。なお、同一の構成については第１実施形態と同一の符号を付す。第４実施形態では、バイブレータ４０の取付構造、及び収納ケース６０（電源コードホルダ）の取付構造が第１実施形態のものと異なる。
図１４に示すように、バイブレータ４０の取付部４０Ｃの下面には、円柱状の係合部４０Ｆが下方へ向かって突設されている。この係合部４０Ｆの中心には、ねじ孔４０Ｇが穿設されている。なお、このねじ孔４０Ｇは取付部４０Ｃの下端から上端まで貫通している。
また、図１５に示すように収納ケース６０の底壁７０の下面にも、バイブレータ４０のものと同一サイズ・同一形状の係合部７０Ｆが下方へ向かって突設されている。この係合部７０Ｆの中心には、ねじ孔７０Ｇが穿設されている。なお、このねじ孔７０Ｇは底壁７０の下面から上面まで貫通している。
一方、タンクレール２０の取付部材３５は、その上端に係合部４０Ｆ，７０Ｆに係合可能な凹状の係合受部３６を備えている。なお、図１４，１５中の符号３６Ａは、ねじ孔を示す。
本実施形態では、図１４（Ｂ），図１５（Ｂ）に示すように係合部４０Ｆ，７０Ｆを取付部材３５の係合受部３６に係合させた上でねじ締めすることによって、バイブレータ４０・収納ケース６０がタンクレール２０に固定される。
【００９５】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記実施形態では、振動手段は、振動用モータを備えたバイブレータ４０としたが、電源が投入されると振動するものであれば特に限定されない。
（２）上記実施形態では、球詰まり解消手段として、振動手段であるバイブレータ４０を採用したが、球詰まり解消手段はこれに限られるものではない。例えば、回転軸にスクリューを取り付けたモータであってもよい。この場合には、集積したパチンコ球に回転するスクリューの羽根が当てられてパチンコ球の球詰まりが解消される。
（３）上記実施形態では、取付部材３５は円柱状のものとしたが、取付部材３５の形状、構造は特に限定されない。
【００９６】
（４）上記実施形態では、取付部材３５は、タンクレール２０に３個所備えられているものを示したが、２個所又は４個所以上備えられていてもよい。
また、取付部材３５の位置も特に限定されない。
（５）上記実施形態では、取付部材３５は、タンクレール２０に一体成形されているものを示したが、取付部材３５を別体としてもよい。
（６）上記実施形態では、取付部材３５は、バイブレータ４０等を２点で支持固定するものとしたが、１点で支持固定するものであっても、３点以上で支持固定するものであってもよい。
【００９７】
（７）上記実施形態では、電源コードホルダ（収納ケース６０）は、電源用コネクタ４９を保持固定する保持固定部８１を備えたものとしたが、保持固定部８１を備えずに単にコード４５Ａのみを保持するものであってもよい。
（８）上記実施形態では、電源コードホルダ（収納ケース６０）は、コード収納部を備えたものとしたが、コード収納部を備えないものであってもよい。
（９）上記実施形態では、電源コードホルダ（収納ケース６０）には、円筒状の巻回保持部９７が形成されているものについて説明したが、巻回保持部９７の形状・構造については特に限定されない。また、収納部内に巻回保持部９７を設けずに単にコード４５Ａを束ねてケース６７内に収納するものであってもよい。
【００９８】
（１０）上記実施形態では、電源用コネクタ４９は、くびれ部４９Ａ及びをフランジ４９Ｂを有するものとしたが、電源用コネクタ４９の形状は特に限定されない。また、端子４９Ｃの数も特に限定されない。
（１１）上記実施形態では、電源コードホルダ（収納ケース６０）は、くびれ保持部８７Ａ，８７Ｂを備えたものとしたが、くびれ保持部８７Ａ，８７Ｂを備えないものであってもよい。また、くびれ保持部８７Ａ，８７Ｂを備える場合には、その形状は特に限定されない。
（１２）上記実施形態では、電源コードホルダ（収納ケース６０）は蓋６３がヒンジ６５を介してケース６７と連結されているものとしたが、両者が分離されているものであってもよい。また、蓋６３を備えないものであってもよい。
【００９９】
（１３）上記実施形態では、電源コードホルダ（収納ケース６０）には、ロック手段が設けられているものとしたが、ロック手段を設けずに単に蓋６３とケース６７とを係合させるものであってもよい。
（１４）上記実施形態では、蓋６３には、二段状の押さえ部１０１が内側に突出して形成されてものとしたが、押さえ部１０１の形状は特に限定されない。また、押さえ部１０１を有さない構造であってもよい。
（１５）上記実施形態では、電源コードホルダ（収納ケース６０）は、フランジ部７５Ｂの前端面が前側壁７３Ｃとほぼ面一となるように収納する構造のものを示したが、電源用コネクタ４９の前端面が、露出していればよく、必ずしもほぼ面一とならなくてもよい。
【０１００】
（１６）上記実施形態では、電源用コネクタ４９は、電源コードホルダ（収納ケース６０）のくびれ保持部８７Ａ，８７Ｂによってくびれ部４９Ａが支持され、開口７７縁部によりフランジ４９Ｂが支持されるものとしたが、電源用コネクタ４９のその他の部分（くびれ部４９Ａとフランジ４９Ｂとの間の部分）を支持固定するものであってもよい。
（１７）上記実施形態では、電源コードホルダ（収納ケース６０）の底壁７０には当接突部９１が形成されているものとしたが、当接突部９１を設けない構成であってもよい。
（１８）上記実施形態では、バイブレータ４０の係合部と収納ケース６０の係合部を同一形状（共通構造）とし、タンクレール２０の取付部材３５の係合受部をバイブレータ４０に対しても収納ケース６０に対しても同一（共通構造）のものとしたが、バイブレータ４０の係合部と収納ケース６０の係合部を異なる形状（異なる構造）とし、取付部材３５の係合受部をバイブレータ４０に対するものと収納ケース６０に対するものとで異なるもの（異なる構造）としてもよい。
例えば、バイブレータ４０の場合には第５実施形態の図１６に示すように係合部４０Ｆを凹状とし、取付部材３５の外側面３５Ｄを第１係合受部とし、収納ケース６０の場合には係合部７０Ｆを凸状とし、取付部材３５の内側面３５Ｆを第２係合受部としてもよい。（なお、図１６、図１７では、第４実施形態と同一の構成については第４実施形態と同一の符号を付す）。要は、取付部材３５に、バイブレータ４０に対する係合受部と、収納ケース６０に対する係合受部とを別々に設け、バイブレータ４０の係合部４０Ｆと収納ケース６０の係合部７０Ｆとを別構造としてもよい。
（１９）上記実施形態では、所定の付属装置を電源コードホルダとしたが、所定の付属装置は特に限定されず、基板装置やその他の装置であってもよい。
（２０）上記実施形態では、収納ケース６０は不透明な樹脂製としたが、その一部又は全部を透明な材質で構成してもよい。このように透明とすると、内部に収納された電源コード４５が外部から視認可能となり、収納ケース６０内に電源コード４５を保持した状態で納品しても、遊技店側で作業者が電源コード４５がどこにあるのか分からずに戸惑うおそれがなくなる。
【図面の簡単な説明】
【０１０１】
【図１】第１実施形態のパチンコ機の背面の斜視図
【図２】バイブレータ及び収納ケースがタンクレールに取り付けられた状態の斜視図
【図３】タンクレールの斜視図
【図４】バイブレータ及び収納ケースの取付構造を示す斜視図
【図５】バイブレータの取付構造を示す説明図  （（Ａ）：取付前の状態、（Ｂ）：取付状態）
【図６】電源コードの平面図
【図７】収納ケースの斜視図
【図８】収納ケースの平面図
【図９】電源コードの収納状態を示す説明図
【図１０】収納ケースの平面図
【図１１】収納ケースの断面図（第８図のＸ−Ｘ断面図）
【図１２】第２実施形態の収納ケースの平面図
【図１３】第３実施形態の収納ケースの斜視図
【図１４】第４実施形態のバイブレータの取付構造を示す説明図  （（Ａ）：取付前の状態、（Ｂ）：取付状態）
【図１５】第４実施形態の収納ケースの取付構造を示す説明図  （（Ａ）：取付前の状態、（Ｂ）：取付状態）
【図１６】第５実施形態のバイブレータの取付構造を示す説明図  （（Ａ）：取付前の状態、（Ｂ）：取付状態）
【図１７】第５実施形態の収納ケースの取付構造を示す説明図  （（Ａ）：取付前の状態、（Ｂ）：取付状態）
【図１８】参考例のタンクレールの斜視図
【符号の説明】
【０１０２】
１０…パチンコ機
２０…タンクレール
４０…バイブレータ（球詰まり解消手段）
４５…電源コード
４９…電源用コネクタ
６０…電源コード収納ケース（付属装置）
【図１】
2005074220.tif 000003
【図２】
2005074220.tif 000004
【図３】
2005074220.tif 000005
【図４】
2005074220.tif 000006
【図５】
2005074220.tif 000007
【図６】
2005074220.tif 000008
【図７】
2005074220.tif 000009
【図８】
2005074220.tif 000010
【図９】
2005074220.tif 000011
【図１０】
2005074220.tif 000012
【図１１】
2005074220.tif 000013
【図１２】
2005074220.tif 000014
【図１３】
2005074220.tif 000015
【図１４】
2005074220.tif 000016
【図１５】
2005074220.tif 000017
【図１６】
2005074220.tif 000018
【図１７】
2005074220.tif 000019
【図１８】
2005074220.tif 000020